(57)【要約】【課題】  就寝時の寝心地を向上させ、快適な睡眠を得ることができ、身体や精神に極めて良く、健康回復やストレス解消など精神の健全化に極めて有効な寝具を提供する。【解決手段】  枕１に頭Ａを載せて横臥した人の背部Ｂから尻部Ｈに亘って敷かれる背用マット１０を備え、この背用マット１０を、枕１に頭Ａを載せた横臥状態で枕１の高さ（ｈ２）より高い高さ（ｈ１ ）に形成され背部Ｂを支持する背支持部１１と、背支持部１１より低い高さ（ｈ３）に形成され尻部Ｈに対応する尻支持部１２と、尻支持部１２より高い高さ（ｈ４）かつ尻支持部１２の足側端部１３に形成され尻部Ｈの下側を押える押え部１４とを備え、尻支持部１２の下端３２外側には、背支持部１１の高さ（ｈ１）より高い高さ（ｈ５ ）の腿枕３０を連続して設けた。また、背用マット１０には、マイナスイオンを発生するマイナスイオン発生布Ｑを内部に広げた状態で付設した。【選択図】  図１
0003114345.tif 000002
【実用新案登録請求の範囲】
【請求項１】
横臥した人の下に敷かれる寝具において、マイナスイオンを発生するマイナスイオン発生布を付設したことを特徴とする寝具。
【請求項２】
上記マイナスイオン発生布を、布生地にマイナスイオンを発生するマイナスイオン発生物質の粉末を溶解した溶液を塗布し、その後、乾燥させて形成したことを特徴とする請求項１記載の寝具。
【請求項３】
上記マイナスイオン発生物質として、トルマリンを用いたことを特徴とする請求項２記載の寝具。
【請求項４】
上記溶液は、樹脂製塗料を主体とすることを特徴とする請求項２または３記載の寝具。
【請求項５】
枕に頭を載せて横臥した人の背部から尻部に亘って敷かれる背用マットを備えて構成された寝具であって、該背用マットにマイナスイオン発生布を付設し、
上記背用マットを、
上記枕に頭を載せた横臥状態で枕の高さ（ｈ２ ）より高い高さ（ｈ１ ）に形成され背部を支持する背支持部と、
該背支持部より低い高さ（ｈ３ ）に形成され尻部に対応する尻支持部と、
該尻支持部より高い高さ（ｈ４ ）かつ該尻支持部の足側端部に形成され尻部の下側を押える押え部とを備えて構成したことを特徴とする請求項１乃至４いずれかに記載の寝具。
【請求項６】
上記背支持部及び尻支持部に、樹脂製で可撓性の袋に流体を封入した扁平状の流体パッドを付設したことを特徴とする請求項５記載の寝具。
【請求項７】
上記流体パッドを複数用い、該各流体パッドを端部同士を重ねて連設したことを特徴とする請求項６記載の寝具。
【請求項８】
上記流体パッドの袋を円形に形成したことを特徴とする請求項６または７記載の寝具。
【請求項９】
上記背支持部及び尻支持部に加温用のヒータを内装したことを特徴とする請求項６乃至８いずれかに記載の寝具。
【請求項１０】
上記尻支持部の下端外側に連続して設けられ、上記背支持部の高さ（ｈ１ ）より高い高さ（ｈ５
）の腿枕を備え、該腿枕に上記マイナスイオン発生布を付設したことを特徴とする請求項６乃至９いずれかに記載の寝具。
【考案の詳細な説明】
【技術分野】
【０００１】
本考案は、横臥した人の下に敷かれる寝具に関する。
【背景技術】
【０００２】
従来、寝具としては、例えば、特開２００３−６１７８６号公報に記載の技術が知られている。図９に示すように、従来の寝具１００は、頭Ａが載せられる枕１０１，背部Ｂ及び尻部Ｈが載せられる背用マット１０２及び膝Ｋの裏側を支持する膝枕１０３とを備えて構成されている。
枕１０１は、ウレタン板で形成された矩形板状のパッド１０４に頸Ｎを支えるための隆起部材１０５を設けて形成されている。背用マット１０２は、ウレタン板で形成され、矩形板状のパッド１０６に腰Ｗを支える隆起部材１０７を設けて形成されている。
【０００３】
この寝具１００に横臥すると、頸Ｎと腰Ｗが隆起部材１０５，１０７によって持ち上げられ、これにより、姿勢が矯正され、肩こりや腰痛あるいは疲労が軽減されるというものである。
【０００４】
【特許文献１】特開２００３−６１７８６号公報
【考案の開示】
【考案が解決しようとする課題】
【０００５】
ところで、従来の寝具１００においては、頸Ｎを隆起部材１０５で持ち上げており、顎Ｊと胸部Ｍとが開くようにはなるが、頸Ｎに隆起部材１０５が当るとともに、顎Ｊと胸部Ｍとの開き方も比較的少ないで、就寝中の呼吸が必ずしも楽にはならないという問題があった。
また、腰Ｗは隆起部材１０７によって支えられてはいるが、眠っているうちに尻部Ｈがパッド１０６に対して滑りやすく、そのため、頭Ａが隆起部材１０５に乗り上げたり、背部Ｂが隆起部材１０７に乗り上げたりして、寝心地が悪くなってしまうという問題もあった。
【０００６】
本考案は上記の問題点に鑑みて為されたもので、寝心地を向上させ、快適な睡眠を得ることのできる寝具を提供することを目的とする。
【課題を解決するための手段】
【０００７】
このよう目的を達成するため本考案の寝具は、横臥した人の下に敷かれる寝具において、マイナスイオンを発生するマイナスイオン発生布を付設した構成としている。マイナスイオン発生布は、広げた状態で設けることが望ましい。
これにより、人の横臥中に、マイナスイオン発生布から寝具の周囲にマイナスイオンが発生していく。マイナスイオンは、森林の中や海岸等に多く存在しており、身体や精神に好影響を与えることが一般に知られている。そのため、この寝具に横臥すると、森林浴をしているような爽やかさを満喫でき、気分が壮快になり、寝心地が向上させられ、快適な睡眠を得ることができるようになる。その結果、身体や精神に極めて良く、健康回復やストレス解消など精神の健全化に極めて有効になる。
【０００８】
そして、必要に応じ、上記マイナスイオン発生布を、布生地にマイナスイオンを発生するマイナスイオン発生物質の粉末を溶解した溶液を塗布し、その後、乾燥させて形成した構成としている。布生地にマイナスイオン発生物質の粉末が満遍なく分散して塗布され、それだけ、広い範囲にマイナスイオンを発生させることができるようになる。
【０００９】
また、必要に応じ、上記マイナスイオン発生物質として、トルマリンを用いた構成としている。トルマリンはマイナスイオンの生成能力が高く、マイナスイオンを効率よく生成することができる。
更に、必要に応じ、上記溶液は、樹脂製塗料を主体とする構成としている。マイナスイオン発生物質を定着させ易くすることができる。
【００１０】
そしてまた、必要に応じ、枕に頭を載せて横臥した人の背部から尻部に亘って敷かれる背用マットを備えて構成された寝具であって、該背用マットにマイナスイオン発生布を付設し、上記背用マットを、上記枕に頭を載せた横臥状態で枕の高さ（ｈ２
）より高い高さ（ｈ１ ）に形成され背部を支持する背支持部と、該背支持部より低い高さ（ｈ３ ）に形成され尻部に対応する尻支持部と、該尻支持部より高い高さ（ｈ４
）かつ該尻支持部の足側端部に形成され尻部の下側を押える押え部とを備えた構成としている。
【００１１】
これにより、この寝具に人が横臥すると、枕に頭を載せて横臥状態で枕の高さ（ｈ２ ）と、背支持部の高さ（ｈ１
）と、腿枕の高さ（ｈ５ ）とは、ｈ２ ＜ｈ１ ＜ｈ５ の関係になる。この人間が横臥した状態では、背部に対して頭が下がる。そのため、顎と胸部が開くようになり、胸を張る状態になるので呼吸が極めて楽になり、快適な睡眠が得られる。
また、横臥状態で、尻部が動こうとするが、尻部は、背支持部より下がっており、尻の下側は押え部で押えられるので、容易に動くことがなく、そのため、寝心地が良好に確保される。
【００１２】
そして、必要に応じ、上記背支持部及び尻支持部に、樹脂製で可撓性の袋に流体を封入した扁平状の流体パッドを付設した構成としている。身体は流体パッドによって支持されていることになり、そのため、横臥した身体に重心移動があっても、身体に負担がかかりにくくなり、この点でも、寝心地が良好に確保される。
【００１３】
この場合、上記流体パッドを複数用い、該各流体パッドを端部同士を重ねて連設したことが有効である。１つの袋に流体を注入した場合に比較して、流体パッド内部の流体の動きが小さくなり、大きく動くことがないことから、身体が大きく揺れ動かされることが防止され、この点でも、寝心地が良好に確保される。また、就寝中に寝返りをうっても流体の動きで眠りが妨げられにくくなる。
【００１４】
また、上記流体パッドの袋を円形に形成したことが有効である。流体パッドの袋は円形に形成されていることから流体の拡散が均一になり、流体パッド内部の流体の動きが安定するので、この点でも、寝心地が良好に確保される。
【００１５】
そしてまた、必要に応じ、上記背支持部及び尻支持部に加温用のヒータを内装した構成としている。背支持部及び尻支持部に加温用のヒータを内装したので、背部や尻部を加温することができ、寒い夜も暖かく眠ることができ、寝心地が良好に確保される。
【００１６】
また、上記尻支持部の下端外側に連続して設けられ、上記背支持部の高さ（ｈ１ ）より高い高さ（ｈ５
）の腿枕を備え、該腿枕に上記マイナスイオン発生布を付設した構成としている。尻部が下がると腰部に負担がかかろうとするが、腿枕で腿部を持ち上げるので、腰部の負担が軽減でき安定させられる。また、流体パッドを付設した場合には、より一層、寝心地を良好に確保することができる。また、上記と同様に、マイナスイオン発生布から周囲にマイナスイオンが発生していく。これによっても、寝心地が向上させられ、快適な睡眠を得ることができるようになる。
【考案の効果】
【００１７】
本考案の寝具によれば、マイナスイオン発生布から寝具の周囲にマイナスイオンが発生していくので、この寝具に横臥すると、森林浴をしているような爽やかさを満喫でき、気分が壮快になり、寝心地が向上させられ、快適な睡眠を得ることができるようになる。その結果、身体や精神に極めて良く、健康回復やストレス解消など精神の健全化に極めて有効になる。
【００１８】
また、背用マットを所要の寸法の背支持部と尻支持部と押え部とを備えて構成した場合には、背中が上がって頭が下がるので、顎と胸部が開くようになり、胸を張る状態になり、そのため、睡眠中の呼吸を楽にすることができ、快適な睡眠を得ることができるようになる。また、尻部には押え部を設けているので、尻が容易に動くことがなく、そのため、寝心地を良好に確保することができる。
【考案を実施するための最良の形態】
【００１９】
以下、添付図面に基づいて、本考案の実施の形態に係る寝具について詳細に説明する。尚、上記と同様のものには同一の符号を付して説明する。
図１及び図２に示すように、本考案の実施の形態に係る寝具Ｓは、ベッドや敷布団Ｆ上に敷設されて用いられるもので、頭Ａを載せる枕１と、枕１に頭Ａを載せて横臥した人の背部Ｂから尻部Ｈに亘って敷かれる背用マット１０と、腿部Ｔを載せる腿枕３０とを備えて構成されている。
【００２０】
枕１は、図１に示すように、枕１は、例えば、ウレタン等の材質からなるスポンジで適宜の形状に構成されている。枕１には枕カバー２を設けることが望ましい。
【００２１】
また、背用マット１０は、図１乃至図４に示すように、ウレタン等の材質からなるスポンジで構成され、枕１に頭Ａを載せた横臥状態で枕１の高さ（ｈ２
）より高い高さ（ｈ１ ）に形成され背部Ｂを支持する背支持部１１と、背支持部１１より低い高さ（ｈ３ ）に形成され尻部Ｈに対応する尻支持部１２と、尻支持部１２より高い高さ（ｈ４
）かつ尻支持部１２の足側端部１３に形成され尻部Ｈの下側を押える押え部１４とを備えて構成されている。背用マット１０は、図４に示すように、綿１５とともに布製等のカバー１６で被覆されている。
【００２２】
背支持部１１は、１枚のスポンジ板からなる基板１７の上側に別の１枚のスポンジ板からなる上板１８を積層して形成され、尻支持部１２は基板１７で形成され、押え部１４は基板１７の足側端部１３の裏面に棒状のスポンジからなる棒体１９を付設して構成されている。また、図１に示すように、この寝具Ｓの背支持部１１及び尻支持部１２の内部には、具体的には基板１７の内部には、加温用の電熱ヒータ２０が内装されている。
【００２３】
背用マット１０において、背支持部１１及び尻支持部１２の上側には、樹脂製で可撓性の円形の袋２１に、例えば、水などの流体２２を封入した扁平状の流体パッド２３が付設されている。流体パッド２３は、２枚用いられ、各流体パッド２３はその端部同士が重ねられて連設されている。
図５に示すように、流体パッド２３は、円形の袋２１に設けられ流体２２の出し入れのための開閉可能な蓋部２４を備えている。蓋部２４は、袋２１に固着された樹脂製の注入口２５と、該注入口２５に樹脂ヒンジ２６を介して一体に設けられ注入口２５を塞ぐキャップ２７とから構成されている。キャップ２７は上に引き上げると開き、キャップ２７を閉めるときは注入口２５に押し込める。
【００２４】
また、背用マット１０には、マイナスイオンを発生するマイナスイオン発生布Ｑが付設されている。マイナスイオン発生布Ｑは、矩形帯状に形成され、流体パッド２３の上側に長手方向に沿って広げた状態で設けられている。
マイナスイオン発生布Ｑは、布生地にマイナスイオンを発生するマイナスイオン発生物質の粉末を溶解した溶液を塗布し、その後、乾燥させて形成されている。溶液は、樹脂製塗料を主体としている。また、マイナスイオン発生物質として、トルマリンが用いられている。トルマリンは所謂電気石とも言われ、固体誘電体として天然に産する鉱石である。トルマリンの粉末を配合した樹脂製塗料は、布生地の表面に例えば１０〜１０００μｍの膜厚で塗布される。
【００２５】
詳しくは、布地生地は、天然繊維や化学繊維あるいはこれらの混合した繊維を用いた編布、織布、不織布等適宜のものが用いられる。
また、トルマリンの粉末の粒径は、０．５μｍ〜６０μｍ、望ましくは、１．２μｍ〜２０μｍである。この範囲でマイナスイオンの生成を効率よく行なわせることができる。
樹脂製塗料としては、例えば、フェノール樹脂塗料，フタル酸樹脂塗料，ビニル樹脂塗料，ポリウレタン樹脂塗料，シリコーン樹脂塗料，エポキシ樹脂塗料等適宜のものを用いてよい。
【００２６】
腿枕３０は、図１及び図２に示すように、尻支持部１２の下端３２外側に位置して設けられる。この腿枕３０は、ウレタン等の材質からなるスポンジで構成され、内部にヒータ２０を内装し、枕１に頭Ａを載せた横臥状態で、背用マット１０の背支持部１１の高さ（ｈ１
）より高い高さ（ｈ５ ）に設定されている。腿枕３０にはカバー３１を設けることが望ましい。また、腿枕３０にも上記と同様のマイナスイオン発生布Ｑが付設されている。
【００２７】
従って、この実施の形態の寝具Ｓを用いるときは、図１に示すように、ベッドあるいは敷布団Ｆの上に寝具Ｓを置く。寝具Ｓを置くときには、まず、枕１を置き、次に背用マット１０を並べて置く。背用マット１０の尻支持部１２の下端３２外側に、腿枕３０を連続するように置く。
【００２８】
この状態で、図１に示すように、寝具Ｓに人が横臥する。このとき、枕１に頭Ａを載せて横臥状態で枕１の高さ（ｈ２ ）と、背支持部１１の高さ（ｈ１
）と、腿枕３０の高さ（ｈ５ ）とは、ｈ２ ＜ｈ１ ＜ｈ５ の関係になる。実施の形態では、例えば、人間が横臥した状態のそれぞれの高さは、ｈ２
＝４．５ｃｍ以下，ｈ１ ＝４．５〜６ｃｍ，ｈ５ ＝１２〜１５ｃｍとなるように構成され、頭Ａと尻部Ｈが下がり、背中が持ち上げられるかたちになる。
【００２９】
この人間が横臥した状態では、背部Ｂに対して頭Ａが下がる。そのため、顎Ｊと胸部Ｍが開くようになり、胸を張る状態になるので呼吸が極めて楽になり、快適な睡眠が得られる。
横臥状態で、尻部Ｈが動こうとするが、尻部Ｈは、背支持部１１より下がっており、また、尻の下側は押え部１４で押えられるので、容易に動くことがなく、そのため、寝心地が良好に確保される。
更に、尻部Ｈは、背支持部１１より下がっていることから、腰部Ｗに負担がかかろうとするが、腿枕３０によって腿部Ｔが持ち上げられるので、腰部Ｗの負担が軽減され、より一層、寝心地が良好に確保される。
【００３０】
更に、背支持部１１及び尻支持部１２には、樹脂製で可撓性の袋２１に流体２２を封入した扁平状の流体パッド２３を用いているので、身体は流体パッド２３によって支持されていることになり、そのため、横臥した身体に重心移動があっても、身体に負担がかかりにくくなり、この点でも、寝心地が良好に確保される。また、流体パッド２３は複数連設されて用いられているので、１つの袋２１に流体２２を注入した場合に比較して、流体パッド２３内部の流体２２の動きが小さくなり、大きく動くことがないことから、身体が大きく揺れ動かされることが防止され、この点でも、寝心地が良好に確保される。また、就寝中に寝返りをうっても流体２２の動きで眠りが妨げられにくくなる。更にまた、流体パッド２３の袋２１は円形に形成されているので、流体２２の拡散が均一になり、流体パッド２３内部の流体２２の動きが安定するので、この点でも、寝心地が良好に確保される。
【００３１】
また、背支持部１１及び尻支持部１２に加温用のヒータ２０を内装したので、背部Ｂや尻部Ｈを加温することができ、また、腿枕３０にもヒータ２０を内装したので腿部Ｔも加温することができ、そのため、寒い夜も暖かく眠ることができ、寝心地が良好に確保される。
【００３２】
そしてまた、マイナスイオン発生布Ｑから寝具の周囲にマイナスイオンが発生していく。トルマリンからマイナスイオンが発生するメカニズムは、主に、トルマリンの結晶表面に電荷が発生し、イオン状態が変化するイオン分極が生じ、これにより、電荷を放出し、この放出された電荷が周囲の気体をマイナスイオン化することによるものと考えられている。
マイナスイオンは、森林の中や海岸等に多く存在しており、身体や精神に好影響を与えることが一般に知られている。そのため、この寝具に横臥すると、森林浴をしているような爽やかさを満喫でき、気分が壮快になり、寝心地が向上させられ、快適な睡眠を得ることができるようになる。その結果、身体や精神に極めて良く、健康回復やストレス解消など精神の健全化に極めて有効になる。
【００３３】
図６及び図７には、背用マット１０の別の例を示している。この背用マット１０は、上記の背用マット１０から、流体パッド２３を除いた構成のものである。この背用マット１０は流体パッド２３を入れていないので、やや硬い寝具Ｓとなるが、硬めの寝具Ｓを必要としている際など、身体条件や好みに応じて用いるようにすれば良い。他の作用，効果は上記と同様である。
【００３４】
図８には、本考案の別の実施の形態に係る寝具を示している。この寝具４０は、矩形状に形成され、綿４１をカバー４２で被覆したものであり、内部に矩形板状のヒータ４３が内蔵されている。また、内部には、上記と同様のマイナスイオン発生布Ｑがヒータ４３に並設されている。この寝具の厚さＤは、２ｍｍ≦Ｄ≦１０ｍｍに設定されている。この寝具においても、マイナスイオン発生布Ｑから寝具４０の周囲にマイナスイオンが発生し、この寝具４０に横臥すると、森林浴をしているような爽やかさを満喫でき、気分が壮快になり、寝心地が向上させられ、快適な睡眠を得ることができるようになる。その結果、身体や精神に極めて良く、健康回復やストレス解消など精神の健全化に極めて有効になる。
【００３５】
尚、上記実施の形態において、必ずしもこれに限定されるものではなく、各部材の厚さや大きさを適宜変更して良い。また、使用する流体パッド２３の数，流体パッド２３の大きさを適宜変更して良い。流体パッド２３の流体２２を空気等の気体にしても良い。また、ヒータ２０は温湯が循環されるヒートパイプ等適宜のものを用いてよい。
尚また、寝具としては、上述したものに限定されるものではなく、掛け布団，敷布団，敷布，毛布，枕等どのようなものであっても良いことは勿論である。
【図面の簡単な説明】
【００３６】
【図１】本考案の実施の形態に係る寝具をその使用状態とともに示す図である。
【図２】本考案の実施の形態に係る寝具を蒲団に配置した状態を示す平面図である。
【図３】本考案の実施の形態に係る寝具の背用マットの要部を示す斜視図である。
【図４】本考案の実施の形態に係る寝具の背用マットを示す断面図である。
【図５】本考案の実施の形態に係る寝具において背用マットの流体パッドを示す図であり、（ａ）は斜視図，（ｂ）は断面図である。
【図６】本考案の実施の形態に係る寝具において別の背用マットをその使用状態とともに示す図である。
【図７】本考案の実施の形態に係る寝具において別の背用マットの要部を示す斜視図である。
【図８】本考案の別の実施の形態に係る寝具を示し、（ａ）は断面図，（ｂ）は平面図である。
【図９】従来の寝具の一例をその使用状態とともに示す図である。
【符号の説明】
【００３７】
Ｓ  寝具
Ｆ  ベッドまたは敷布団
Ｑ  マイナスイオン発生布
１  枕
２  枕カバー
１０  背用マット
１１  背支持部
１２  尻支持部
１３  足側端部
１４  押え部
１５  綿
１６  カバー
１７  基板
１８  上板
１９  棒体
２０  ヒータ
２１  袋
２２  流体
２３  流体パッド
２４  蓋部
２５  注入口
２６  樹脂ヒンジ
２７  キャップ
３０  腿枕
３１  枕カバー
３２  下端
４０  寝具
４１  綿
４２  カバー
４３  ヒータ
Ａ  頭
Ｈ  尻部
Ｂ  背部
Ｊ  顎
Ｍ  胸部
Ｗ  腰部
Ｔ  腿部
【図１】
0003114345.tif 000003
【図２】
0003114345.tif 000004
【図３】
0003114345.tif 000005
【図４】
0003114345.tif 000006
【図５】
0003114345.tif 000007
【図６】
0003114345.tif 000008
【図７】
0003114345.tif 000009
【図８】
0003114345.tif 000010
【図９】
0003114345.tif 000011